(57)【特許請求の範囲】
【請求項１】
ユーザ機器と基地局との間の通信を調整する方法であって、
該ユーザ機器において、該ユーザ機器と該基地局との間のアップリンク通信のための第一のタイムスロットの組の割当を受信することであって、該割当は、拡張された動的配分（ＥＤＡ）の使用を示す、ことと、
ＥＤＡを使用するリソース配分アルゴリズムを使用して、該基地局と通信することと、
該ユーザ機器と該基地局との間の通信活動が使用基準値を満たした後に、かつ、ＥＤＡの使用を示す該アップリンク通信のための第一のタイムスロットの組の割当を受信した後に、
該ユーザ機器によって監視されるタイムスロット数を、該アップリンク通信のための第一のタイムスロットの組の割当に従って監視されるべき数未満に削減することと、
ＥＤＡを使用しない第二のリソース配分アルゴリズムを使用して、アップリンクデータを該基地局に伝送することと
を含む、方法。
【請求項２】
メッセージを前記基地局から受信することをさらに含み、該メッセージは、ＥＤＡを使用しない前記第二のリソース配分アルゴリズムを使用して、前記ユーザ機器がアップリンクデータを伝送することを要求する、請求項１に記載の方法。
【請求項３】
前記ユーザ機器によって監視されるタイムスロット数を削減した後に、該ユーザ機器によって監視されている１つ以上のタイムスロットを識別する制御ブロックを伝送することをさらに含む、請求項１に記載の方法。
【請求項４】
前記第一のタイムスロットの組の割当を受信することが、前記基地局から割当メッセージを受信することを含む、請求項１に記載の方法。
【請求項５】
アップリンク通信が使用基準値と一致する場合に、前記監視されるタイムスロット数を削減することをさらに含む、請求項１に記載の方法。
【請求項６】
前記使用基準値は、割当メッセージにおいて、および、パケットデータプロトコル（ＰＤＰ）コンテキスト確立プロシージャを介してのうちの少なくとも一つにより受信される、請求項５に記載の方法。
【請求項７】
ユーザ機器と基地局との間の通信を調整する方法であって、
該基地局により、該ユーザ機器と該基地局との間のアップリンク通信のための第一のタイムスロットの組の割当を伝送することであって、該割当は、拡張された動的配分（ＥＤＡ）の使用を示す、ことと、
ＥＤＡを使用する第一のリソース配分アルゴリズムを使用して、該ユーザ機器と通信することと、
該ユーザ機器と該基地局との間の通信活動が使用基準値を満たした後に、かつ、ＥＤＡの使用を示す該アップリンク通信のための第一のタイムスロットの組の割当を伝送した後に、
該ユーザ機器が削減された数のタイムスロットを監視していると決定することと、
ＥＤＡを使用しない第二のリソース配分アルゴリズムを使用して、該ユーザ機器と通信することと
を含む、方法。
【請求項８】
前記ユーザ機器が削減された数のタイムスロットを監視していると決定した後に、メッセージを該ユーザ機器に伝送することをさらに含み、該メッセージは、ＥＤＡを使用しない前記第二のリソース配分アルゴリズムを使用して、該ユーザ機器がアップリンクデータを伝送することを要求する、請求項７に記載の方法。
【請求項９】
前記ユーザ機器から制御ブロックを受信することをさらに含み、該制御ブロックは、該ユーザ機器によって監視されている１つ以上のタイムスロットを識別する、請求項７に記載の方法。
【請求項１０】
前記第一のタイムスロットの組の割当を伝送することが、前記ユーザ機器に割当メッセージを伝送することを含む、請求項７に記載の方法。
【請求項１１】
アップリンク通信が使用基準値と一致する場合に、前記ユーザ機器が削減された数のタイムスロットを監視していると決定することをさらに含む、請求項７に記載の方法。
【請求項１２】
基地局を含む通信ネットワークとの使用のためのユーザ機器であって、
該ユーザ機器と該基地局との間のアップリンク通信のための第一のタイムスロットの組の割当を受信することであって、該割当は、拡張された動的配分（ＥＤＡ）の使用を示す、ことと、
ＥＤＡを使用する第一のリソース配分アルゴリズムを使用して、該基地局と通信することと、
該ユーザ機器と該基地局との間の通信活動が使用基準値を満たした後に、かつ、ＥＤＡの使用を示す該アップリンク通信のための第一のタイムスロットの組の割当を受信した後に、
該ユーザ機器によって監視されるタイムスロット数を、該通信のための第一のタイムスロットの組の割当に従って監視されるべき数未満に削減することと、
ＥＤＡを使用しない第二のリソース配分アルゴリズムを使用して、アップリンクデータを該基地局に伝送することと
を行うように構成されたプロセッサを備えている、ユーザ機器。
【請求項１３】
通信ネットワークとの使用のための基地局であって、
ユーザ機器と該基地局との間のアップリンク通信のための第一のタイムスロットの組の割当を伝送することであって、該割当は、拡張された動的配分（ＥＤＡ）の使用を示す、ことと、
ＥＤＡを使用する第一のリソース配分アルゴリズムを使用して、該ユーザ機器と通信することと、
該ユーザ機器と該基地局との間の通信活動が使用基準値を満たした後に、かつ、拡張された動的配分（ＥＤＡ）の使用を示す該アップリンク通信のための第一のタイムスロットの組の割当を伝送した後に、
該ユーザ機器が削減された数のタイムスロットを監視していると決定することと、
ＥＤＡを使用しない第二のリソース配分アルゴリズムを使用して、該ユーザ機器と通信することと
を行うように構成されたプロセッサを備えている、基地局。
【発明の詳細な説明】
【技術分野】
【０００１】
（関連出願の引用）
本願は、米国仮特許出願第６１／１７１，４３１号（２００９年４月２１日出願、本願と同名称）に基づく優先権を主張する。該出願は参照により本明細書に引用される。
【０００２】
（技術分野）
本開示は、概して、モバイル通信システムにおけるデータ伝送プロトコルに関し、より具体的には、データ伝送中の削減されたタイムスロット監視のためのシステムおよび方法に関する。
【背景技術】
【０００３】
本明細書で使用される場合、用語「移動局」（「ＭＳ」）、「ユーザエージェント」、および「ユーザ機器」（「ＵＥ」）は、携帯電話、携帯情報端末、携帯式またはラップトップコンピュータ、およびネットワーク通信能力を有する類似デバイスを指し得る。いくつかの構成では、ＵＥは、モバイル無線デバイスを指す場合がある。モバイル無線デバイスである、そのようなＵＥは、加入者識別モジュール（ＳＩＭ）カードを含むことも、含まないこともある。また、本用語は、デスクトップコンピュータ、セットトップボックス、またはネットワークノード等の容易に搬送可能ではないが、類似能力を有する、デバイスを指す場合がある。
【０００４】
ＵＥは、高速データ通信を提供する、無線通信ネットワーク内で動作し得る。例えば、ＵＥは、モバイル通信のためのグローバルシステム（ＧＳＭ（登録商標））および汎用パケット無線サービス（ＧＰＲＳ）技術に従って動作し得る。今日、そのようなＵＥはさらに、ＧＳＭ（登録商標）進化のための拡張データレート（ＥＤＧＥ）、あるいは拡張ＧＰＲＳ（ＥＧＰＲＳ）または拡張ＧＰＲＳ  Ｐｈａｓｅ  ２（ＥＧＰＲＳ２）に従って動作し得る。
【０００５】
ＥＤＧＥ／ＥＧＰＲＳ／ＥＧＰＲＳ２は、向上したデータ伝送速度および改善されたデータ伝送信頼性を可能にする、デジタルモバイル通信技術の例である。これは、多くの場合、２．７５Ｇネットワーク技術として分類される。ＥＤＧＥは、北米に端を発し、２００３年頃から、世界中のＧＳＭ（登録商標）ネットワークに導入されている。ＥＤＧＥ／ＥＧＰＲＳ／ＥＧＰＲＳ２は、インターネット接続を伴うもの等、任意のパケット切替式アプリケーションにおいて使用され得る。ビデオおよび他のマルチメディアサービス等の高速データアプリケーションは、ＥＧＰＲＳの増加したデータ容量から恩恵を受けている。
【０００６】
ＥＧＰＲＳ／ＥＧＰＲＳ２に従って動作するＵＥは、データ転送のために、１乃至８タイムスロットを使用可能なマルチスロット能力を有し得る。より多くのタイムスロットは、ダウンリンク二重キャリア構成がサポートされる場合に使用され得る。アップリンクおよびダウンリンクチャネルが、別個に予約されるため、種々のマルチスロットリソース構成が、異なる方向に割り当てられ得る。ＵＥは、サポートするマルチスロットクラスに基づいて、２種類に分類され得る。例えば、（１）マルチスロットクラス１−１２、１９−４５（タイプ１）では、ＵＥは、アップリンク（ＵＬ）およびダウンリンク（ＤＬ）方向におけるマルチスロット能力を有し、本能力を略同時に使用し得る（例えば、同一時分割多重アクセス（ＴＤＭＡ）フレーム内で伝送または受信することによって）。本マルチスロットクラス群は、半二重通信を使用し得る。本制限の理由は、例えば、マルチスロットクラス２６を選択することによって説明され得る。この場合、最大許容可能タイムスロット数は、ＵＬでは、４であって、ＤＬでは、８である。本タイムスロット数の同時伝送および受信は、ＵＥが、同時に伝送および受信可能である場合のみ可能である。しかしながら、本特定の群は、そのような能力を有しておらず、その仕様は、その動作を半二重に制限する。しかしながら、（２）マルチスロットクラス１３−１８（タイプ２）では、ＵＥは、最も高度なＵＥ群であって、同時に伝送および受信を行なう能力を有し（全二重通信）、伝送経路と受信経路とを分離するためのスプリッタ、デプレクサ、およびフィルタを要求する。
【０００７】
特定の種類のＵＥに関わらず、動作中、ＵＥは、ＵＥが基地局と通信可能な間、タイムスロットが割り当てられる。割当は、１つ（または、ダウンリンク二重キャリアの場合、２つ）のチャネル上にタイムスロットの組を含む。アップリンク割当の場合、これは、アップリンク伝送のために、ＵＥによって使用され得る、合計のタイムスロットの組である。ダウンリンク割当の場合、これは、ネットワークがデータをＵＥに送信し得る、合計のタイムスロットの組である。任意の所与の無線ブロック期間の間、ネットワークが、リソースを動的に配分し、ＵＥがデータを受信および／または伝送し得るダウンリンクタイムスロットあるいはアップリンクタイムスロットを決定する。基本的伝送時間間隔（ＢＴＴＩ）では、所与の無線ブロック期間は、４つのＴＤＭＡフレームを含み、各ＴＤＭＡフレームは、８つのタイムスロットを含む。配分アルゴリズムは、実装依存性であるが、ＵＥのマルチスロットクラス（伝送／受信可能な最大タイムスロット数、ならびに伝送から受信およびその反対の切替に要求される時間）を考慮し、通常、基地局コントローラ（ＢＳＣ）によってＵＥが受信／伝送すると予想されるデータ量を考慮するであろう。
【０００８】
４つのＴＤＭＡフレームにわたって、特定のタイムスロット内で送信される各ブロックを有する４つのバーストとして伝送される無線ブロックの代わりに、削減された伝送時間間隔（ＲＴＴＩ）を使用可能であって、これは、上述の構造の修正であり、無線ブロック（本質的に、同一量の情報を含む）は、２つのＴＤＭＡフレーム内に２つのタイムスロットを使用して伝送される。これは、ブロックのための伝送時間を削減し、システムの全体的待ち時間を削減する。故に、「削減された無線ブロック期間」は、４つのＴＤＭＡフレーム（約２０ｍｓ）である、基本的無線ブロック期間と比較して、２つのＴＤＭＡフレーム（約１０ｍｓ）となる。
【０００９】
アップリンク配分は、０乃至７（０と７を含む）の数である、アップリンク状態フラグ（ＵＳＦ）の使用によって信号伝達され、ダウンリンク無線ブロック毎に信号伝達される。そのアップリンク割当の一部として、ＵＥは、どのタイムスロットのどのＵＳＦがそのＵＥのためのアップリンク配分を示すかを通知される。ＵＳＦは、概して、ダウンリンクブロックのヘッダ内に含まれる。ＲＴＴＩの場合、ＵＳＦは、例えば、ダウンリンクＢＴＴＩ無線ブロックが送信されるのと同様に、４つのＴＤＭＡフレームにわたって無線ブロックにわたってコード化され得るか（「ＢＴＴＩ  ＵＳＦモード」）、または（２つのタイムスロットを使用して）２つのＴＤＭＡフレームにわたって無線ブロックにわたってコード化され得る（「ＲＴＴＩ  ＵＳＦモード」）。
【００１０】
いくつかの通信規格では、受信のために割り当てられる「ｍ」のタイムスロットと、伝送のために割り当てられる「ｎ」のタイムスロットが存在する。したがって、マルチスロットクラスタイプ１のＵＥの場合、同一タイムスロット番号を伴う、Ｍｉｎ（ｍ，ｎ，２）の受信および伝送タイムスロットが存在し得る。マルチスロットクラスタイプ２のＵＥの場合、同一タイムスロット番号を伴う、Ｍｉｎ（ｍ，ｎ）の受信および伝送タイムスロットが存在し得る。ダウンリンク二重キャリア構成の場合、同一タイムスロット番号を伴うタイムスロットが、両チャネル上に割り当てられる場合、ｍの値を計算する際、それらは１つのタイムスロットとして計算され得る。その結果、ダウンリンクおよびアップリンクタイムスロットの両方が割り当てられる場合に、一方向に単一タイムスロットが、反対方向に１つ以上のタイムスロットが割り当てられる場合、第１のタイムスロットのタイムスロット番号は、反対方向におけるタイムスロットのうちの１つと同一であり得る。同様に、２つ以上のアップリンクタイムスロットおよび２つ以上のダウンリンクタイムスロットが割り当てられる場合、アップリンクおよびダウンリンクタイムスロットのうちの少なくとも２つが、共通タイムスロット番号を有し得る。その結果、アップリンク＋ダウンリンク割当では、ＵＳＦとダウンリンクデータブロックとのために監視され得るタイムスロットは、概して、一致する。本実装では、割当および配分は、本質的に、ネットワークの制御下（例えば、ＢＳＣ）にある。
【００１１】
システムに応じて、拡張動的配分（ＥＤＡ）は、単一ＵＳＦ指示によって、複数のアップリンクブロックがＵＥに配分される機構を提供し得る。本プロトコルが、一時的ブロックフロー（ＴＢＦ）のために利用される場合、ＵＥが、該ＵＥにアップリンクブロックを配分するＵＳＦを検出した場合、該ＵＲは、その割当の一部であって、ＵＳＦが受信されたものより上の番号が付与されている全タイムスロットを使用する同一無線ブロック期間内で送信されるアップリンクブロックが、暗黙的に配分される。
【００１２】
ＧＰＲＳにおける続行中のパケットデータセッションの間、割り当てられたダウンリンクＴＢＦを伴うＵＥは、ネットワークが、それらのタイムスロット中に、該ＵＥにデータを送信する場合、その割当における全ダウンリンクタイムスロットを監視することが要求される。同様に、ＵＥが、割り当てられたアップリンクＴＢＦを有する場合、アップリンク状態フラグ（ＵＳＦ）が、アップリンクリソースを動的に配分するために送信され得る全タイムスロットを監視することが要求される。ＵＥが、アップリンクＴＢＦとダウンリンクＴＢＦとを有する場合、ＵＥは、任意のアップリンク伝送を考慮して、可能な限り多くの関連ダウンリンクタイムスロットを監視し得る。割り当てられたタイムスロットの一定監視は、ネットワークまたはＵＥが送信すべきものがない場合、相当量の無駄なエネルギーの消費を要求する。これは、特に、ネットワークまたはＵＥが送信すべきデータを有していない時に当てはまる。割り当てられたリソースを解放することは可能であるが、これは、リソースが再確立され得るため、さらなるデータが送信されるべき時、ユーザ知覚遅延をもたらし得る。
【発明の概要】
【発明が解決しようとする課題】
【００１３】
本開示は、データ伝送中に監視するタイムスロットを削減するためのシステムおよび方法を提供する。
【課題を解決するための手段】
【００１４】
方法は、ユーザ機器と基地局との間のアップリンクおよびダウンリンク通信のためのタイムスロットを識別することと、通信のための所定のタイムスロット数を監視することと、アップリンク通信およびダウンリンク通信のうちの少なくとも１つのために識別されるタイムスロットの少なくとも一部の使用を追跡することと、アップリンク通信およびダウンリンク通信のうちの少なくとも１つに関連する所定の使用基準値（ｕｓａｇｅ  ｍｅｔｒｉｃ）に到達すると、ユーザ機器によって監視されるタイムスロット数の所定のタイムスロット数未満への自動削減をトリガすることとを含み得る。
【００１５】
一実装では、本システムは、基地局を含む、通信ネットワークと併用するためのＵＥを含む。ＵＥは、基地局とのアップリンクおよび／またはダウンリンク通信のために、基地局からタイムスロット割当を受信し、基地局から受信されたタイムスロット割当に基づいて、通信のために割り当てられた所定のタイムスロット数を監視し、アップリンクおよびダウンリンク通信のうちの１つのために割り当てられたタイムスロットの少なくとも一部の使用を追跡し、アップリンクおよびダウンリンク通信のうちの１つのために割り当てられたタイムスロットの少なくとも一部の使用が閾値に到達すると、監視されるタイムスロット数の所定のタイムスロット数未満への一方的調節をトリガするように構成される、プロセッサを備える。
【００１６】
別の実装では、本システムは、ＵＥと通信するために、通信ネットワークを経由して通信するように構成される、基地局を含む。基地局は、プロセッサを含む。プロセッサは、ユーザ機器とのアップリンクおよびダウンリンク通信のためのタイムスロットを決定するように構成される。ユーザ機器は、タイムスロットを監視するように構成される。プロセッサは、アップリンクおよびダウンリンク通信のためのタイムスロットの少なくとも一部の使用を追跡し、アップリンクおよびダウンリンク通信のためのタイムスロットの少なくとも一部の使用が第１の閾値に到達すると、アップリンクおよびダウンリンク通信のために配分されたタイムスロット数の削減をトリガするように構成される。
本発明はさらに、例えば、以下を提供する。
（項目１）  ユーザ機器と基地局との間の通信を調整する方法であって、
拡張された動的配分（ＥＤＡ）リソース配分アルゴリズムを使用して、該ユーザ機器と該基地局との間のアップリンク通信のための第一のタイムスロットの組の割当を受信することと、
該アップリンク通信のための第一のタイムスロットの組の割当を受信することの後に、
該ユーザ機器によって監視されるタイムスロット数を、該アップリンク通信のための第一のタイムスロットの組未満に削減すること、および、
ＥＤＡ以外のリソース配分アルゴリズムを使用して、アップリンクデータを該基地局に伝送することと
を含む、方法。
（項目２）  メッセージを上記基地局から受信することを含み、該メッセージは、上記ユーザ機器がＥＤＡ以外のリソース配分アルゴリズムを使用して、アップリンクデータを伝送することを要求する、項目１に記載の方法。
（項目３）  上記ユーザ機器によって監視されるタイムスロット数を削減することの後に、該ユーザ機器によって監視されている１つ以上のタイムスロットを識別する制御ブロックを伝送することを含む、項目１に記載の方法。
（項目４）  上記第一のタイムスロットの組の割当を受信することが、上記基地局から割当メッセージを受信することを含む、項目１に記載の方法。
（項目５）  アップリンク通信が使用基準値と一致する場合に、上記監視されるタイムスロット数を削減することを含む、項目１に記載の方法。
（項目６）  上記使用基準値は、割当メッセージにおいて、およびパケットデータプロトコル（ＰＤＰ）コンテキスト確立プロシージャを介してのうちの少なくとも一つにより受信される、項目５に記載の方法。
（項目７）  ユーザ機器と基地局との間の通信を調整する方法であって、
拡張された動的配分（ＥＤＡ）リソース配分アルゴリズムを使用して、該ユーザ機器と該基地局との間のアップリンク通信のための第一のタイムスロットの組の割当を伝送することと、
該アップリンク通信のための第一のタイムスロットの組の割当を伝送することの後に、
該ユーザ機器が削減された数のタイムスロットを監視していると決定すること、および、
ＥＤＡ以外のリソース配分アルゴリズムを使用して、該ユーザ機器と該基地局との間のアップリンク通信のための第二のタイムスロットの組の第二の割当を伝送する、ことと
を含む、方法。
（項目８）  上記ユーザ機器が削減された数のタイムスロットを監視していると決定することの後に、メッセージを該ユーザ機器に伝送することであって、該メッセージは、該ユーザ機器がＥＤＡ以外のリソース配分アルゴリズムを使用して、アップリンクデータを伝送することを要求する、こととを含む、項目７に記載の方法。
（項目９）  上記ユーザ機器から制御ブロックを受信することを含み、該制御ブロックは、該ユーザ機器によって監視されている１つ以上のタイムスロットを識別する、項目７に記載の方法。
（項目１０）  上記第一のタイムスロットの組の割当を伝送することが、上記ユーザ機器に割当メッセージを伝送することを含む、項目７に記載の方法。
（項目１１）  アップリンク通信が使用基準値と一致する場合に、上記ユーザ機器が削減された数のタイムスロットを監視していると決定することを含む、項目７に記載の方法。
（項目１２）  基地局を含む通信ネットワークとの使用のためのユーザ機器であって、
拡張された動的配分（ＥＤＡ）リソース配分アルゴリズムを使用して、該ユーザ機器と該基地局との間のアップリンク通信のための第一のタイムスロットの組の割当を受信することと、
該アップリンク通信のための第一のタイムスロットの組の割当を受信することの後に、
該ユーザ機器によって監視されるタイムスロット数を、該通信のための第一のタイムスロットの組未満に削減すること、および、
ＥＤＡ以外のリソース配分アルゴリズムを使用して、アップリンクデータを該基地局に伝送することと
を行うように構成されたプロセッサを備えている、ユーザ機器。
（項目１３）  通信ネットワークとの使用のための基地局であって、
拡張された動的配分（ＥＤＡ）リソース配分アルゴリズムを使用して、ユーザ機器と該基地局との間のアップリンク通信のための第一のタイムスロットの組の割当を伝送することと、
該アップリンク通信のための第一のタイムスロットの組の割当を伝送することの後に、
該ユーザ機器が削減された数のタイムスロットを監視していると決定すること、および、
ＥＤＡ以外のリソース配分アルゴリズムを使用して、該ユーザ機器と該基地局との間のアップリンク通信のための第二のタイムスロットの組の第二の割当を伝送することと
を行うように構成されたプロセッサを備えている、基地局。
（項目１４）  項目１〜１１のいずれか一項に記載の方法を実行するように構成されたプロセッサを備えている、装置。
【図面の簡単な説明】
【００１７】
本開示をより完全に理解するために、添付の図面および発明を実施するための形態と併せて理解される、以下の簡単な説明を参照する（類似参照数字は、類似部品を表す）。
【図１】図１は、無線通信ネットワークを通して、基地局（ＢＳ）と通信する、無線またはモバイル通信デバイス等のユーザ機器（ＵＥ）を含む、例示的通信システムのブロック図である。
【図２】図２は、ＵＥとＢＳとの間のデータ伝送の際に監視されるタイムスロット数を削減するための例示的方法のステップを記載する工程図である
【図３】図３は、１秒の期間、または５回連続ＵＳＦが使用されず、ダウンリンク転送が生じない期間のいずれか早期に生じた方において、ダウンリンク転送およびアップリンク転送の不在を通して、トリガを定義するための実施例を例証する。
【図４】図４は、１連続秒の無データ転送によりトリガを定義するための実施例を例証する。
【図５】図５は、ダウンリンク二重キャリアデータ伝送に適用されるトリガを使用するための実施例を例証するものであって、トリガを検出後、タイムスロット削減プロシージャは、２つのチャネルに独立して適用され、アップリンクおよびダウンリンクタイムスロット削減アルゴリズムは、独立して動作する。
【図６】図６は、ダウンリンク二重キャリア割当を使用して、トリガを使用する実施例を例証する。
【図７】図７は、タイムスロット削減アルゴリズムを使用する実施例を例証するものであって、アップリンク状態フラグ（ＵＳＦ）のために監視されるタイムスロットは、複数の使用されていないＵＳＦの結果として削減される。
【図８】図８は、タイムスロット削減アルゴリズムを使用する別の実施例を例証するものであって、トリガは、ＵＳＦおよびダウンリンクの両方の監視の削減のために使用される。
【図９】図９は、タイムスロット削減アルゴリズムをダウンリンク二重キャリア割当とともに使用する実施例を例証するものであって、トリガアルゴリズムおよび監視されるタイムスロットにおける任意の続行中の削減は、割当メッセージが受信された後、継続する。
【図１０】図１０は、削減されたタイムスロットの組が監視されている場合に、タイムスロット削減アルゴリズムを拡張動的配分（ＥＤＡ）プロトコルとともに使用する実施例を例証するものである。
【図１１】図１１は、削減されたタイムスロットの組が監視され、監視されているタイムスロットが、経時的に変動する場合に、タイムスロット削減アルゴリズムを拡張動的配分（ＥＤＡ）プロトコルとともに使用する別の実施例を例証する。
【図１２】図１２は、ダウンリンクにおいて、および／またはＲＴＴＩ  ＵＳＦモードが、アップリンクリソースを配分するために使用される場合に、タイムスロット削減アルゴリズムを削減された伝送時間間隔（ＲＴＴＩ）とともに使用する実施例を例証する。
【図１３】図１３は、単一トリガを有する本開示の実装を例証するシーケンス図であって、トリガ規則は、ネットワークとＵＥとの間で変動する。
【図１４】図１４は、ネットワークがＵＥが監視しているとみなしているタイムスロットが、ＵＥが実際に監視しているものの一部であることを示す、本開示の実装を例証するシーケンス図である。
【図１５】図１５は、ＲＴＴＩ割当を伴う、本開示のある実装を例証する、シーケンス図である。
【発明を実施するための形態】
【００１８】
次に、本開示の種々の局面が、添付の図面を参照して説明されるが、類似番号は、全体を通して、類似または対応する要素を指す。しかしながら、図面およびそれに関連する発明を実施するための形態は、請求される主題を開示される特定の形態に限定することを意図するものではないことを理解されたい。むしろ、請求される主題の精神および範囲内にあるすべての修正、均等物、および代替を網羅することが意図される。
【００１９】
本明細書で使用される場合、用語「構成要素」、「システム」等は、コンピュータ関連エンティティ、すなわち、ハードウェア、ハードウェアおよびソフトウェアの組み合わせ、ソフトウェア、または実行中のソフトウェアのいずれかを指すように意図される。例えば、構成要素は、プロセッサ上で起動するプロセス、プロセッサ、オブジェクト、実行ファイル、実行のスレッド、プログラム、および／またはコンピュータであり得るが、それらに限定されない。例証として、コンピュータ上で起動するアプリケーションおよびコンピュータは両方とも、構成要素であることが可能である。１つ以上の構成要素は、プロセスおよび／または実行のスレッド内に常駐し得、構成要素は、１つのコンピュータ上に局在される、および／または２つ以上のコンピュータ間に分散され得る。
【００２０】
用語「例示的」は、本明細書では、実施例、事例、または例証としての役割を果たすことを意味するために使用される。「例示的」として本明細書に説明される任意の局面または設計は、必ずしも、他の局面あるいは設計よりも好ましいもしくは有利であるとして解釈されるわけではない。
【００２１】
さらに、開示される主題は、標準的プログラミングおよび／またはエンジニアリング技法を使用して、ソフトウェア、ファームウェア、ハードウェア、あるいはそれらの任意の組み合わせを生成し、コンピュータもしくはプロセッサベースのデバイスを制御し、本明細書に詳述される局面を実装する、システム、方法、装置、または製造品として実装され得る。用語「製造品」（または代替として、「コンピュータプログラム製品」）は、本明細書で使用される場合、任意のコンピュータ可読デバイス、チャネル、または媒体からアクセス可能なコンピュータプログラムを包含するように意図される。例えば、コンピュータ可読媒体は、磁気記憶デバイス（例えば、ハードディスク、フロッピー（登録商標）ディスク、磁気帯等）、光ディスク（例えば、コンパクトディスク（ＣＤ）、デジタル多用途ディスク（ＤＶＤ）、等）、スマートカード、およびフラッシュメモリデバイス（例えば、カード、スティック、等）を含むことが可能であるが、それらに限定されない。加えて、搬送波は、電子メールを伝送および受信する際、あるいはインターネットまたはローカルエリアネットワーク（ＬＡＮ）等のネットワークにアクセスする際に使用されるもの等、コンピュータ可読電子データを搬送するために採用可能であることを理解されたい。当然ながら、当業者は、請求される主題の範囲または精神から逸脱することなく、本構成に多くの修正が行なわれ得ることを認識するであろう。
【００２２】
次に、図１を参照すると、例示的通信システム１００のブロック図は、無線通信ネットワーク１０４を通して通信する、ＵＥ１０２（無線またはモバイル通信デバイスの一実施例）を含む。システム要件に応じて、本システム１００は、異なる実装を有する、他の通信システム内で使用され得る。ＵＥ１０２は、視覚的ディスプレイ１１２、キーボード１１４、および可能性として、１つ以上の補助ユーザインターフェース（ＵＩ）１１６を含み得、そのそれぞれは、プロセッサまたはコントローラ１０６に連結される。プロセッサ１０６は、メモリ１０７、無線周波数（ＲＦ）送受信機回路１０８、およびアンテナ１１０に連結される。典型的には、プロセッサ１０６は、メモリ構成要素においてオペレーティングシステムソフトウェア（図示せず）を実行する中央処理装置（ＣＰＵ）として具現化される。プロセッサ１０６は、通常、ＵＥ１０２の全体的動作を制御する一方、通信機能と関連付けられる信号処理動作は、典型的には、ＲＦ送受信機回路１０８内で行なわれる。プロセッサ１０６は、デバイスディスプレイ１１２とインターフェースをとり、受信情報、メモリ１０７からアクセスされる格納情報、ユーザ入力等を表示する。電話型キーパッドあるいは完全または部分的英数字キーボード（物理的または仮想的）であり得る、キーボード１１４は、通常、ＵＥ１０２内に格納するためのデータ、ネットワーク１０４に伝送するための情報、電話を架けるために入力する電話番号、ＵＥ１０２上で実装されるコマンド、および種々の他のまたは異なるユーザ入力を入力するために提供される。
【００２３】
ＵＥ１０２は、アンテナ１１０を経由して、無線リンクを介して、ネットワーク１０４へ通信信号を送信し、そこから通信信号を受信する。ＲＦ送受信機回路１０８は、例えば、変調／復調、可能性として、エンコード／デコード、および暗号化／暗号解読等、電波塔１１８（例えば、送受信基地局（ＢＴＳ））および基地局（ＢＳ）または基地局コントローラ（ＢＳＣ）１２０のものに類似する機能を果たす。この目的を達成するために、ＢＳ１２０は、例えば、プロセッサ１２１およびメモリ１２２を含み得る。また、ＲＦ送受信機回路１０８は、ＢＳ１２０によって行なわれるものに加え、ある機能を果たし得ることが想定される。ＲＦ送受信機回路１０８が、ＵＥ１０２が動作することが意図される、特定の無線ネットワークまたは複数のネットワークに適合されることは、当業者には明白であろう。
【００２４】
ＵＥ１０２は、１つ以上の再充電可能バッテリ１３８を受け取るためのバッテリインターフェース１３４を含む。バッテリ１３８は、ＵＥ１０２内の電気回路に電力を供給し、バッテリインターフェース１３４は、バッテリ１３２のための機械的および電気的接続を提供する。バッテリインターフェース１３４は、ＵＥ１０２への電力を調整する、調整器１３６に連結される。ＵＥ１０２は、バッテリ１３８を含む、ＵＥ１０２の電気構成要素を支持し、含む筐体を含む携帯用ポータブル通信デバイスであり得る。ＵＥ１０２は、ＳＩＭインターフェース１４２において、ＵＥ１０２に接続される、またはその中に挿入される、加入者識別モジュール（ＳＩＭ）１４０を使用して動作し得る。ＳＩＭ１４０は、特に、ＵＥ１０２のエンドユーザまたは加入者を識別し、デバイスを個人化するために使用される、従来の「スマートカード」の種類の１つである。加入者を識別するために、ＳＩＭ１４０は、国際移動電話加入者識別番号（ＩＭＳＩ）等のユーザパラメータを含み得る。ＳＩＭ１４０は、手帳またはカレンダ情報および直近の電話情報を含む、ＵＥのための追加のユーザ情報も同様に格納し得る。
【００２５】
ＵＥ１０２は、データ通信デバイス、携帯電話、データおよび音声通信能力を伴う多機能通信デバイス、無線通信可能携帯端末（ＰＤＡ）、または内部モデムを組み込むコンピュータ等の単一ユニットであり得る。代替として、ＵＥ１０２は、複数の別個の構成要素を備える、コンピュータまたは無線モデムに接続される他のデバイスを含むが、それらに限定されない、複数のモジュールユニットであり得る。特に、例えば、図１のＵＥブロック図では、ＲＦ送受信機回路１０８およびアンテナ１１０は、ラップトップコンピュータ上のポート内に挿入され得る、無線モデムユニットとして実装され得る。この場合、ラップトップコンピュータは、ディスプレイ１１２、キーボード１１４、１つ以上の補助ＵＩ１１６、およびコンピュータのＣＰＵとして具現化されるプロセッサ１０６を含むであろう。コンピュータまたは他の機器は、通常、無線通信可能でなくてもよく、上述のもののうちの１つ等の単一ユニットデバイスのＲＦ送受信機回路１０８およびアンテナ１１０に接続するように適合され、その制御を効果的に行ない得る。
【００２６】
ＵＥ１０２は、無線通信ネットワーク１０４と通信し、およびそれを通して通信する。無線通信ネットワーク１０４は、携帯用電気通信ネットワークであり得る。無線ネットワーク１０４は、汎用パケット無線サービス（ＧＰＲＳ）およびモバイルのためのグローバルシステム（ＧＳＭ（登録商標））技術の要件に従って構成され得る。代替として、ＵＥ１０２はさらに、ＧＳＭ（登録商標）エボリューションのための拡張データレート（ＥＤＧＥ）または拡張ＧＰＲＳ（ＥＧＰＲＳ）に従って動作し得る。そのような環境では、無線ネットワーク１０４は、関連付けられた電波塔１１８を伴う基地局（ＢＳ）１２０、また、モバイル交換局（ＭＳＣ）１２３、加入者位置登録器（ＨＬＲ）１３２、サービンング汎用パケット無線サービス（ＧＰＲＳ）サポートノード（ＳＧＳＮ）１２６、およびゲートウェイＧＰＲＳサポートノード（ＧＧＳＮ）１２８を含む。ＭＳＣ１２３は、ＢＳ１２０および公衆交換電話網（ＰＳＴＮ）１２４等の地上通信線ネットワークに連結される。ＳＧＳＮ１２６は、ＢＳ１２０、および順に、公衆または私設データネットワーク１３０（インターネット等）に連結される、ＧＧＳＮ１２８に連結される。ＨＬＲ１３２は、ＭＳＣ１２３、ＳＧＳＮ１２６、およびＧＧＳＮ１２８に連結される。
【００２７】
電波塔１１８は、固定送受信局であって、電波塔１１８およびＢＳ１２０は、送受信機器と称され得る。送受信機器は、一般的に「セル」と称される、特定のサービス範囲エリアのための無線ネットワークサービス範囲を提供する。送受信機器は、電波塔１１８を経由して、そのセル内のＵＥに通信信号を伝送し、ＵＥから通信信号を受信する。送受信機器は、通常、特に、そのコントローラの制御下、通常は所定の通信プロトコルおよびパラメータに従って、ＵＥに伝送される信号の変調、可能性として、エンコードおよび／または暗号化のような機能を果たす。送受信機器は、同様に、必要に応じて、そのセル内のＵＥ１０２から受信される任意の通信信号を復調、可能性として、デコード、および暗号解読する。通信プロトコルおよびパラメータは、異なるネットワーク間で変動し得る。例えば、１つのネットワークは、異なる変調方式を採用し、他のネットワークと異なる周波数で動作し得る。
【００２８】
ネットワークオペレータに登録されたＵＥ１０２すべてに対して、恒久的データ（ＵＥ１０２のユーザのプロファイル等）ならびに一時的データ（ＵＥ１０２の現在の場所等）が、ＨＬＲ１３２内に格納され得る。ＵＥ１０２への音声呼の場合、ＨＬＲ１３２は、ＵＥ１０２の現在の場所を決定するために、クエリが行なわれ得る。ＭＳＣ１２３の訪問者位置登録器（ＶＬＲ）は、ある一群の場所エリアに関与し、その関与エリア内に現在あるＵＥのデータを格納する。これは、より高速なアクセスのために、ＨＬＲ１３２からＶＬＲに伝送された恒久的ＵＥデータの一部を含む。しかしながら、ＭＳＣ１２３のＶＬＲはまた、一時的識別等のローカルデータの割当および格納を行ない得る。随意に、ＭＳＣ１２３のＶＬＲは、ＧＰＲＳおよび非ＧＰＲＳサービスと機能性、例えば、ＳＧＳＮ１２６を経由してより効率的に行なうことが可能な回路切替式呼のためのページングとのより効率的協調、ならびに組み合わせられたＧＰＲＳおよび非ＧＰＲＳ場所更新のために拡張可能である。
【００２９】
ＳＧＳＮ１２６は、そのＭＳＣ１２３と同一階層レベルに位置し得、ＵＥの個々の場所を追跡する。ＳＧＳＮ１２６はまた、セキュリティ機能およびアクセス制御を行なう。ＧＧＳＮ１２８は、外部パケット切替式ネットワークとの協働を提供し、ＩＰベースのＧＰＲＳバックボーンネットワークを経由して、ＳＧＳＮ（ＳＧＳＮ１２６等）と接続される。ＳＧＳＮ１２６は、アルゴリズム、キー、および基準に基づいて、認証および暗号設定プロシージャを行なう（例えば、既存のＧＳＭ（登録商標）におけるように）。
【００３０】
無線通信ネットワーク１０４を通したＵＥ１０２との間の続行中の従来のＧＰＲＳまたはＥＧＰＲＳパケットデータ通信の間、ＵＥ１０２が、ダウンリンク一時的ブロックフロー（ＴＢＦ）を割り当てられた場合、ＵＥ１０２は、ネットワークが、それらのタイムスロットの間、データを伝送する場合、その割当内の全ダウンリンクタイムスロットを監視することが要求される。便宜上、ＵＥ１０２へおよびそこからの通信は、ＢＳ１０２等のネットワーク１０４の特定のエンティティではなく、ネットワーク１０４とであるように説明されるであろう。しかしながら、当業者は、そのような通信が、多くの場合、ＵＥ１０２とＢＳ１２０または他のエンティティとの間で行なわれることを容易に理解するであろう。ＵＥ１０２が、割り当てられたアップリンクＴＢＦを有する場合、アップリンク状態フラグ（ＵＳＦ）が、アップリンクリソースを動的に配分するために送信され得る、全タイムスロットを監視することが要求される。ＵＥ１０２が、アップリンクＴＢＦおよびダウンリンクＴＢＦの両方を有する場合、ＵＥ１０２は、任意のアップリンク伝送を考慮して、可能な限り多くの関連ダウンリンクタイムスロットを監視する。したがって、図１のシステム１００と使用される従来の通信プロトコルでは、非常に構造化された通信プロトコルが利用され、それによって、ＵＥ１０２およびＢＳ１２０は、ＢＳ１２０にリソースの配分を制御させる、調整されたＤＬ、ＵＬ、および監視アルゴリズムに従って、協働する。
【００３１】
しかしながら、割り当てられたタイムスロットの一定の監視は、バッテリ１３８の相当量の消耗をもたらす。これは、ネットワーク１０４またはＵＥ１０２が送信するものを有していない場合、特に望ましくない。故に、多くの状況では、アクティブ通信接続を維持し、性能を改良することがより効率的であるかどうか、あるいは接続を停止または最小限にし、エネルギー使用を削減することがより効率的であるかどうか決定することが困難である。例えば、ウェブブラウジングの際、あるページのダウンロード後（それによって、ＲＬＣ層データの最後の伝送は、ＵＥ１０２によって送信されるＴＣＰ層ＡＣＫに対応し得る）、ＵＥ１０２は、ユーザ入力を伴わずに、さらなるダウンロードを直ちに要求する場合がある。これは、ＵＥ１０２が、あるページのダウンロード後、そのページ内に内蔵されたすべてを読み出すことを直ちに進める時に生じる場合がある。しかしながら、同一アプリケーションを使用して、ＵＥ１０２は、ページをレンダリングするために要求される情報のすべてを受信している場合があり、ＵＥ１０２が、ユーザが、新しいページを要求するか、または何らかの他の措置を講じるのを待機する場合に、ある時間の間、ネットワーク１０４を経由して、データを送信または受信しない場合がある。ファイル転送プロトコル（ＦＴＰ）ダウンロードでは、ダウンロードが完了すると直ちに、ＵＥ１０２は、後続転送を始動するか（例えば、ユーザが複数のファイルを要求し、ｆｔｐアプリケーションが、同時ダウンロードの数を限定する場合）、またはユーザ入力を待つために停止する場合がある。同様に、データアプロードでは、送信される最後のデータは、ネットワーク１０４からＵＥ１０２へであり得る（最終確認応答）。しかしながら、ＢＳ１２０は、より高い層のプロトコルおよびアプリケーションに対して不可知かであって、さらなるデータがＵＥ１０２によって送信され得るかどうかを決定不可能である。これらの実施例では、ネットワーク１０４、特に、ＢＳ１２０は、追加のネットワーク通信が生じるのか、またはユーザ入力を待機するためにある遅延が生じるかどうかを決定することは不可能である。
【００３２】
これらの例によって示されるように、困難点は、ＢＳ１２０とＵＥ１０２との間で調整される双方向割当と関連付けられ得る。具体的には、人的相互作用が関与するシナリオ（ユーザによるある「思考／処理時間」に対応するデータ伝送中の一時停止等）、ＢＳ１２０が、概して、いつ一時停止が開始するか、またはどれくらい一時停止が継続するかを決定不可能であるシナリオ、および一時停止が、概して、アップリンクおよびダウンリンクデータ伝送中の同時中断をもたらすシナリオはすべて、ネットワークがどのように動作されるかに応じて、削減されたバッテリ寿命および／またはユーザに対して遅い応答時間をもたらす可能性がある。
【００３３】
例えば、いくつかのネットワーク実装では、ネットワーク１０４またはＢＳ１２０は、ＵＥ１０２によって送信されるデータがない時を決定または推測し、対応するＴＢＦリソースを明示的に解放しようと試行する（例えば、ｓｕｂ−ｃｌａｕｓｅ  ９．３．２．６  ｉｎ  ３ＧＰＰ  ＴＳ  ４４．０６０  ｖ．８．３．０  “Ｇｅｎｅｒａｌ  Ｐａｃｋｅｔ  Ｒａｄｉｏ  Ｓｅｒｖｉｃｅ（ＧＰＲＳ）；  Ｍｏｂｉｌｅ  Ｓｔａｔｉｏｎ（ＭＳ）−Ｂａｓｅ  Ｓｔａｔｉｏｎ  Ｓｙｓｔｅｍ（ＢＳＳ）ｉｎｔｅｒｆａｃｅ；  Ｒａｄｉｏ  Ｌｉｎｋ  Ｃｏｎｔｒｏｌ／Ｍｅｄｉｕｍ  Ａｃｃｅｓｓ  Ｃｏｎｔｒｏｌ（ＲＬＣ／ＭＡＣ）  ｐｒｏｔｏｃｏｌ（Ｒｅｌｅａｓｅ  ８）”参照）。対応するＴＢＦリソースを解放後、新しいデータが送信されるべき時、ＴＢＦは、既存のプロシージャを使用して、再確立される。本プロセスは、リソースの解放を可能にするが、データ伝送の迅速な再開を可能にするわけではない。すなわち、これは、さらなるデータが送信されるべき時、リソースが再確立される間、ユーザ知覚遅延につながり得る。
【００３４】
代替として、ある場合には、ネットワーク１０４のために「拡張アップリンクＴＢＦモード」を使用することが可能であって、それによって、ＵＥ１０２が送信すべきものがない場合でも、アップリンクＴＢＦを継続させる。ＢＳ１２０は、ＵＥ１０２が他に送信すべきものがない時、ダミーブロックを送信することによって、全アップリンク配分（例えば、有効ＵＳＦによって信号伝達される）に応答することをＵＥ１０２に要求し得るか、またはＵＥ１０２に必要がないＵＳＦを単純に無視させ得る。同様のアプローチは、ダウンロードに対しても可能であり、ネットワーク１０４は、ダミーブロックを送信することによって、送信すべきデータがない場合でも、ＴＢＦが維持されることを確実にすることが可能である。新しいデータが送信されるべき時、既存のリソースを使用して送信される。本プロセスは、ＵＥ１０２とＢＳ１２０との間での調整されたＤＬ、ＵＬ、および利用される監視アルゴリズム、ならびにリソース配分に関するＢＳ１２０の制御を維持する。しかしながら、データ伝送の迅速な再開を可能にするが、本プロセスは、ＵＥ１０２が、ネットワーク１０４通信の監視を継続し、ダミーブロックを送信し、データ伝送サービスへのアクセスを維持しなければならないため、ＵＥ１０２のバッテリ１３８上の相当なエネルギーを消費する。
【００３５】
これらの課題を解決する他の試行では、明示的信号伝達が、ネットワーク１０４によって、その既存の割当に対応するタイムスロットの一部のみを監視し得ることをＵＥ１０２に通知するように指定され得る。これは、事実上、任意の後続ダウンリンクデータが送信されるべき時、信号伝達されたリソースの一部のみを使用して送信されることの保証である。同様に、信号伝達は、任意のアップリンク配分が、削減されたタイムスロットの組上で信号伝達される（割り当てられたＵＳＦによって）ことを示すために使用され得る。再び、本方法は、ＵＥ１０２とＢＳ１２０との間での調整されたＤＬ、ＵＬ、および利用される監視アルゴリズム、ならびにリソースの配分に関するＢＳ１２０の制御を保持する。しかしながら、本方法は、ＵＥ１０２によって使用中のアプリケーションの知識がほとんどないＢＳ１２０によって、および任意の後続データ転送が開始される可能性がある場合またはその時についての知識がほとんどないＢＳ１２０によって削減が制御される場合、問題となり得る。また、アップリンクおよびダウンリンク監視の独立制御は、複雑であって、動的信号伝達（監視タイムスロットが削減される度）もまた、複雑である。最後に、非永続モード（ＮＰＭ）が、本方法において使用される場合、ＵＥ１０２は、ビットマップ削減を示すダウンリンクブロックを受信しない場合があり、ＮＰＭ動作の規則に従って、これを許容可能とみなす場合がある。ＮＰＭ動作の規則は、ある時間の長さ後、ブロックの受信が失敗した場合、受信機によって、ブロックは、「廃棄された」とみなされる。
【００３６】
次に、図２を参照すると、図１のＵＥ１０２とネットワーク１０４との間のデータ伝送中に監視するタイムスロット数を削減するための方法のステップ２００が、提供される。説明されるように、本開示の方法、アルゴリズム、およびプロトコルは、厳格に調整されたＤＬおよびＵＬリソース割当ならびにリソース割当に関するＢＳ１２０による厳密な明示的制御の従来の理論的枠組みを破る。具体的には、説明されるように、自動的かつ独立して、ＵＥ１０２およびＢＳ１２０に、監視されるタイムスロット数を調節させることによって、ＵＥ１０２は、ネットワーク１０４／ＢＳ１２０と通信するためのエネルギー使用をより少なくする一方、ＵＥ１０２のユーザに感知されるでろう応答遅延の可能性を低減させることになる。すなわち、本開示は、ＵＥ１０２が、監視されるタイムスロット数を調節可能であって、ＢＳ１０２が、自動的かつ相互に関係なく、ＵＥ１０２が監視することを期待するタイムスロット数を削減することが可能な、システムおよび方法を提供する。
【００３７】
図２に例証されるプロセスステップは、アップリンクおよびダウンリンク通信のためのタイムスロットを割り当てることによるプロセスブロック２０２から開始する。上述の従来のプロトコルに従って、本割当は、プロセスブロック２０４によって示されるように、ＵＥおよびＢＳが、所定の数の割り当てられたタイムスロットを監視する結果となる。各監視されるタイムスロットの使用は、プロセスブロック２０６において、追跡される。次いで、各タイムスロットの使用は、決定ブロック２０８において、使用基準値と比較される。説明されるように、本使用基準値は、追跡された使用が比較される閾値として作用し得る。例えば、使用基準値によって示される閾値は、ＵＬのために割り当てられ、かつ、ＵＥによって使用されていない所定のタイムスロット数であり得る。他の使用基準値は、ＢＳまたはネットワークによって使用されている、または使用されていない、タイムスロットに基づき得る。したがって、説明されるように、これは、使用基準値または閾値の一実施例にすぎず、多くの他のものが使用され得る。使用基準値の仕様およびどのように作用がトリガされるかについての詳細にかかわらず、追跡される使用が、使用基準値によって示される閾値を超え続ける場合、所定のタイムスロット数が、継続して監視される。
【００３８】
しかしながら、追跡される使用が、使用基準値によって示される閾値を下回る場合、監視されるタイムスロットの数は、ステップ２１０において、削減され得る。したがって、説明されるように、使用基準値に関する実際の使用の本評価は、トリガとして作用する。これらのトリガは、ＵＥ１０２とネットワーク１０４／ＢＳ１２０との間の通信活動を特徴付け、最小閾値トラフィック量、伝送が生じない間の期間、利用不足のＵＳＦの数、またはＵＥ１０２とネットワーク１０４との間の通信活動の任意の他の特徴を識別し得る。特定のトリガが満たされたことを決定すると、ＵＥ１０２またはネットワーク１０４のいずれかは、一方的に、あるいはともに、ＵＥ１０２によって監視されるタイムスロット数および／またはネットワーク１０４によってＵＥ１０２に配分され得るタイムスロット数を最小限にするための措置を講じ得る。
【００３９】
方法２００を実装するために、いくつかのトリガが、定義される。各トリガは、データ伝送の不在、またはＵＥ１０２とネットワーク１０４との間の通信活動の他の特徴に基づき得る。トリガは、ＵＥ１０２およびネットワーク１０４に対して、同一または異なり得る。トリガイベントが生じたことを決定すると、ＵＥ１０２によって監視されるタイムスロットが、削減されるか、あるいはダウンリンクデータまたはＵＳＦをＵＥに送信するためにネットワーク１０４によって使用されるタイムスロットが、削減されるか、もしくは両方である。一実施例では、トリガパラメータは、通信規格において指定されるか、割当メッセージ内で定義され、および／またはパケットデータプロトコル（ＰＤＰ）コンテキスト確立プロシージャの際に確立されるか、ＴＢＦ確立あるいは修正時に指定および／または信号伝達されるか、もしくはこれらの任意の組み合わせであり得る。
【００４０】
一実装では、基本的トリガが、指定される。基本的トリガ定義は、例えば、ＵＳＦに対する非応答の制限時間または数等のパラメータを含む。基本的トリガはまた、ＴＢＦ確立または修正時、または代替として、ＰＤＰコンテキスト確立時に、例えば、ＢＳＣがＰＦＣ交渉の際に通知されことによって通信され得る。
【００４１】
トリガは、ある期間にわたって、ネットワーク１０４／ＢＳ１２０およびＵＥ１０２の両方によるデータ伝送の欠如を検出するように設計され得る。トリガは、アップリンクリソースをＵＥに配分する指定された数のＵＳＦが、データを送信するために使用されない時間測定（例えば、数秒）、または所定の期間を使用して、指定され得る。本コンテキストにおけるデータの欠如は、ユーザデータを含まないパケットアップリンクＤＵＭＭＹ制御ブロック等のダミーブロックの送信を含むように定義され得る。
【００４２】
他のトリガ定義は、データがＵＥ１０２および／またはネットワーク１０４／ＢＳ１２０によって送信されなかった無線ブロック期間の期間または数、データを送信するために使用されなかったアップリンク配分無線ブロックの数、アップリンクリソースが配分されたが、データを送信するために使用されなかった無線ブロック期間の数、または上述の任意の組み合わせを含み得る。次に、図３を参照すると、トリガの一実施例は、ＵＥからの通信の不在によって定義可能である。図３−１２は、タイムスロット監視を調節するために開示されるシステムおよび方法を例証する際に使用するためのタイミング図である。タイミング図は、ＵＥの観点から説明されるであろう。したがって、ダウンリンクチャネル３００およびアップリンクチャネル３０２が、示される。特に、図３参照すると、ダウンリンクデータ転送３０４は、ＢＳからＵＥに転送されたデータを表すように示される。加えて、アップリンクデータ転送３０６は、ＵＥからＢＳに転送されたデータを表すように示される。しかしながら、ダウンリンクデータ転送およびアップリンクデータ転送３０６の後、所与の継続時間３１８内に及ぶ、５つの連続使用されていないＵＳＦ３０８−３１６が続く（すなわち、対応するアップリンク配分が、ユーザデータを送信するために使用されなかったＵＳＦ）。本実施例では、最も直近のアップリンクまたはダウンリンクデータ転送からの期間または使用されていないＵＳＦ３０８−３１６の数は、使用基準値としての役割を果たし得る。この場合、所定の数の連続ＵＳＦが使用されない、ダウンリンク転送が生じない、いずれか早期に生じた方の所定の持続時間または期間の満了は、タイムスロット監視削減のためのトリガとしての役割を果たし得る。例えば、所定の期間は、１秒の期間であり得、所定の数の連続ＵＳＦは、５つであり得る。したがって、図３における実施例では、最も直近のデータ転送からの期間３１８が、未だ所定の閾値を超えていないため、タイムスロット削減は、使用されていないＵＳＦ３１６によってトリガされる。
【００４３】
しかしながら、図４を参照すると、例証されるように、トリガは、所定の閾値を超える（データ転送が生じない）期間３１８によって生じ得る。４つの使用されていないＵＳＦ３０８−３１４のみ、所定の期間が経過する前に生じており、本実施例に説明されるように、使用されていないＵＳＦの閾値は、５であった。
【００４４】
次に、図５を参照すると、トリガを引き起こし、利用するための別の実施例が、例証されており、ダウンリンクチャネル３００およびアップリンクチャネル３０２のためのタイムスロット監視の削減は、独立して生じ得る。この場合、２つの使用されていないＵＳＦのみ生じ、アップリンクデータ転送３２０は、所定の期間未満の持続時間を有するアップリンク転送の中断で生じる。しかしながら、ダウンリンクチャネル３００に関しては、所定の期間は、ダウンリンクデータ転送を伴わずに経過する。その結果、タイムスロット削減プロシージャは、ダウンリンクチャネル３００に独立して適用され得る一方、アップリンクチャネル３０２は、標準または削減されていないタイムスロット監視を継続する。したがって、ダウンリンクデータのために監視されるタイムスロットは、送信されるアップリンクデータの量から独立して削減され得るが、但し、アップリンクデータ転送を配分するＵＳＦのために監視される必要がある、ダウンリンクタイムスロットは、維持され、またはその逆も然りである。
【００４５】
次に、図６を参照すると、今度は、ダウンリンク二重キャリア割当において、トリガを引き起こし、利用するための別の実施例が、例証される。例証されるように、第１のダウンリンクチャネル３００およびアップリンクチャネル３０２に加え、第２のダウンリンクチャネル３００’およびアップリンクチャネル３０２’が、使用される。この場合、多重ダウンリンクデータ伝送は、ダウンリンクデータ伝送３０４およびダウンリンクデータ伝送３０４’等、各ダウンリンクチャネル３００および３００’上で同時に生じ得る。タイムスロット監視の削減は、各ダウンリンクチャネル３００および３００’に適用され得る。本実施例では、アップリンクチャネル３０２’上にアップリンク割当は存在せず、使用されていないＵＳＦが存在しないため、所定の期間経過によって決定されるダウンリンクチャネル３００’のためのトリガが、トリガされ、タイムスロット監視削減が、生じ得る。本実施例では、タイムスロット削減は、２つの対のキャリア（３００および３０２）ならびに（３００'および３０２'）に独立して適用される。したがって、ダウンリンクチャネル３００およびアップリンクチャネル３０２に関しては、後続ダウンリンク通信３２２が送信され、２つのアップリンクデータ通信３２４、３２６が送信され、それによって、通信経過または連続使用されていないＵＳＦ間の所定の期間に基づいて、トリガを回避するため、タイムスロット監視削減は、トリガされない。
【００４６】
トリガは、アップリンク活動の欠如のみに基づき得るが、そのようなトリガは、非効率的システム動作をもたらし得る。図７に例証されるように、ＵＳＦのための監視されるタイムスロットは、複数の使用されていないＵＳＦ３０８−３１６の結果として削減される。しかしながら、ＵＳＦ監視およびダウンリンクデータ転送３０４のために使用されるタイムスロットの共通性のため、ＵＳＦタイムスロットの削減は、実質的バッテリ電力を節約しない場合がある。なぜなら、これらのタイムスロットの一部または全部が、依然として、ダウンリンクデータ３０４を受信するためにデコードされるからである。さらに、ダウンリンクデータ転送３０４が、アップリンクデータを伝送するための上層要求をトリガする場合、アップリンク内に配分可能なタイムスロット数が削減されているため、遅延または不良なアップリンク帯域幅があり得る。図８参照し、かつ図７の実施例を継続すると、例えば、ユーザが、ダウンロードされた情報を熟読／視聴する間、ダウンリンク転送３０４後、データ伝送において一時停止が続く場合、トリガは、図３および４に示されるように、図８に例証される場合、いずれにしても生じるであろう。すなわち、所定の期間３１８が経過するか、またはトリガが、使用されていないＵＳＦ３３０−３４０の継続によって、引き起こされるであろう。タイムスロットの予測される共通性のため、図８における場合（例えば、トリガを伴わない）と比較される、図７に示されるトリガの追加の利点（バッテリ消費の差異）は、取るに足りないであろう。
【００４７】
システム実装に応じて、１つ以上のトリガが、タイムスロット削減アルゴリズムの特定の段階に対応して、指定され得る。同一数のトリガが、ネットワークおよびＵＥの両方に対して定義され得、各トリガは、アルゴリズム内の段階に対応する。
【００４８】
一実装では、トリガは、図１のネットワーク１０４／ＢＳ１２０およびＵＥ１０２に対して異なり、ネットワークトリガは、（良好な無線条件における正常動作において）ＵＥ１０２側のものより早期に生じる。これは、ＵＳＦまたは他のダウンリンクデータが、ネットワーク１０４／ＢＳ１２０のＢＳＣまたはスケジューラとＵＥ１０２との間で転送される場合、あるいは１つ以上のＵＳＦまたはダウンリンクデータブロックのＵＥ１０２による受信またはデコードが失敗した場合に、トリガが生じる可能性を可能にし、ネットワーク１０４またはＢＳ１２０が、ＵＥ１０２が監視していると想定するタイムスロットにおいて保守的であることを保証する。例えば、１秒の期間または５つの使用されていないアップリンクリソース配分（ＵＲＡ）を定義するトリガが、ネットワーク１０４のために定義される場合、ＵＥ１０２のための対応するトリガは、データが両方向に対して１．５秒間送信されていない、またはＵＥ１０２が８つのＵＲＡに応答していないのうちのいずれか早期に生じた方であり得る。
【００４９】
制御ブロックの確認応答（割当を含む）に関する問題を生じさせるタイムスロット削減を回避するために、システムは、任意のトリガが生じ得る前の最後の割当メッセージからの最小期間を定義し得る。割当メッセージは、ＵＥ１０２に割り当てられたリソースの組を修正、追加、または削減する、メッセージを含み得る。実施例は、ＰＡＫＥＣＴ  ＴＩＭＥＳＬＯＴ  ＲＥＣＯＮＦＩＧＵＲＥメッセージ、ＰＡＣＫＥＴ  ＵＰＬＩＮＧ  ＡＳＳＩＧＮＭＥＮＴメッセージ、ＨＡＮＤＯＶＥＲ  ＣＯＭＭＡＮＤメッセージ等である。一実装では、最後の割当後のある指定された期間まで、トリガ定義によって指定される任意の期間または非活動検出は、開始しないことがある。ここで、「割当」は、ハンドオーバによる割当を含み得る。
【００５０】
割当メッセージ（例えば、新しいまたは異なるリソースを割り当てる）が、ＵＥに送信される場合、全体的タイムスロット削減プロシージャは、完全に再開し、新しい割当の一部である全タイムスロットが監視されるか、または、継続し得る。一実装では、リソースの増加をもたらす割当メッセージは、タイムスロット削減プロシージャの再開につながる一方、リソースの削減をもたらす割当メッセージは、プロシージャの継続につながる。後者の場合、タイムスロット削減アルゴリズムは、新しい割当に先立って監視されていたタイムスロットが、新しい割当の一部ではない場合に、新しい監視されるべきタイムスロットが、定義され得るように、どのタイムスロットが監視されるべきかを指定する。ダウンリンク二重キャリア割当において、１つのチャネル上にのみ割り当てられたリソースを修正する新しい割当メッセージが受信された場合、タイムスロット削減アルゴリズムは、第２のチャネル上で独立して継続し得る。
【００５１】
いくつかの用途では、割当メッセージが、ＵＥに割り当てられるリソースの総量を削減する時等、割当メッセージが受信された後（図９によって例証され、後述されるように）、トリガアルゴリズム（監視されるタイムスロットの任意の続行中の削減を含む）を継続させることが有益である。これは、割当を削減することと、タイムスロット削減アルゴリズムとの両方によって、監視されるタイムスロットの数を削減するための同時試行を回避するように動作し得、それによって、そうでなければ、監視されるタイムスロットの数が、実際に、割当メッセージの結果として、増加し得る。
【００５２】
図９を参照すると、二重ダウンリンクおよびアップリンクチャネルシステムが、例証されており、タイムスロット削減がトリガされた後、割当メッセージを受信する。ダウンリンクチャネル３００、アップリンクチャネル３０２、第２のダウンリンクチャネル３００’、およびアップリンクチャネル３０２’が、使用される。本システムを使用することによって、多重ダウンリンクデータ伝送が、ダウンリンクデータ伝送３０４およびダウンリンクデータ伝送３０４’等、各ダウンリンクチャネル３００および３００’上において、同時に生じ得る。代替として、データ転送は、ダウンリンクデータ伝送３４２によって示されるように、単一チャネル上で独立して生じ得る。同様に、データ伝送３４４等のデータアップリンク伝送は、種々の仕様またはシステム要件によって要求されるように、同時に、略同時に、または独立して、生じ得る。図９に示されるように、トリガは、所定の期間３４６の満了によって、ダウンリンクチャネル３００'上で生じ、タイムスロット監視削減を始動させる。タイムスロット監視削減がトリガされた後、割当メッセージ３４８が、ＵＥ１０２に対して発行される。本割当メッセージ３４８は、ＵＥに、増加または削減されたリソースを付与し得る。割当メッセージ３４８が、図９に示されるように、ダウンリンクチャネル３００'のためのタイムスロット割当をさらに削減する場合、ダウンリンクチャネル３００'が、割当メッセージ３４８を受信後も、ダウンリンクチャネル３００'上のタイムスロット削減は、継続される。一方、本ＵＥのためのリソースを増加させる割当メッセージが、受信される場合、削減されたタイムスロット監視は、別のトリガが削減されたタイムスロット監視を再始動するまで、中断され得る。他の場合では、増加したリソースを付与する割当メッセージの受信に関わらず、削減されたタイムスロット監視を継続することが望ましい場合がある。
【００５３】
トリガイベントの検出に応じて、タイムスロット削減が、始動される。概して、タイムスロット削減は、ＵＥ１０２に、エネルギー消費を制御し、バッテリ寿命を最大限にするように試行することを目的として、監視するダウンリンクタイムスロットの数を削減する。ネットワーク１０４を参照すると、トリガは、ネットワーク１０４が、ＵＳＦ、ダウンリンクデータ、または他の制御情報をＵＥ１０２に伝送可能なタイムスロットの範囲を縮小させる。システム実装に応じて、タイムスロット監視削減を始動させるためのトリガイベント発生後、追加の明示的信号伝達は、使用されない。
【００５４】
しかしながら、いくつかの実装では、ＵＥ１０２およびネットワーク１０４は、ある確認または同期メッセージを通信し、ＵＥ１０２およびネットワーク１０４の両方が、同一または同等のタイムスロット削減活動に関与していることを確実にし得る。例えば、タイムスロット削減を示すためのネットワーク１０４からＵＥ１０２への明示的信号伝達にとって、好ましくないかも知れないが、ＵＥ１０２は、どのタイムスロットを監視しているかをネットワーク１０４に確認し得る。一実装では、ＵＥ１０２は、ポーリング要求またはＵＳＦにその現状を示す制御ブロックで応答することによって、ネットワーク１０４に通知する。これは、トリガが生じたことを示すために、各トリガ後、周期的に、または第１の利用可能なアップリンク配分を使用して応答することによって、行なわれ得る。通信オーバーヘッドを追加するが、本プロセスは、ネットワーク１０４が、ＵＥ１０２に、ＵＥ１０２が監視していないタイムスロットを監視していることを予測する可能性を低減させ得る。一実装では、ＵＥ１０２が、通常、送信するための他のデータがない時、ダミーブロックを送信することが要求されない場合、ＵＥ１０２からの指示は、既存のダミーブロックであり得る。
【００５５】
各トリガは、トリガが検出された後、タイムスロット監視の削減が生じるプロセスを決定するための特定のタイムスロット削減アルゴリズムと関連付けられ得る。例えば、削減されたタイムスロットの組は、ＵＥ１０２およびネットワーク１０４の両方に対し事前に知られたアルゴリズムによって決定され得る（但し、ＵＥ１０２およびネットワーク１０４は、異なるトリガアルゴリズムを実装するように構成され得る）。どのタイムスロット削減アルゴリズムを実装すべきかは、ＴＢＦ確立／修正プロセスまたはＵＥ１０２とネットワーク１０４との間の他の通信プロセスの一部として識別され得、あるいはいくつかの指定された決定性アルゴリズムによって識別され得、もしくはその２つの組み合わせであり得る。
【００５６】
一実装では、タイムスロット削減アルゴリズムは、（現在の割当に従って）ＵＳＦおよびダウンリンクデータの両方のために監視され得るタイムスロットを考慮し、ＵＳＦのためだけまたはダウンリンクデータのためだけに使用される、他のタイムスロットを監視するための要件を低減させる。タイムスロット削減アルゴリズムに応じて、タイムスロット監視の最大削減時点において、１つ以下のタイムスロット（または、削減された伝送時間間隔（ＲＴＴＩ）ダウンリンクまたはＲＴＴＩ  ＵＳＦモードの場合、２つ以下のタイムスロット）が、任意のＴＤＭＡフレームにおいて監視され得、ダウンリンクデータおよびＵＳＦ信号伝達の両方のために使用される。システム実装に応じて、複数のトリガが、連続的に生じてもよく、それぞれ、さらなるタイムスロット監視の削減をもたらす。
【００５７】
種々のタイムスロット削減アルゴリズムは、トリガを検出するＵＥ１０２またはネットワーク１０４のいずれかに応答して、ＵＥ１０２およびネットワーク１０４のそれぞれによって実装され得る。例えば、タイムスロット削減アルゴリズムは、各段階がトリガに対応する、１つ以上の段階を含み得る。タイムスロット削減アルゴリズムは、その番号がアップリンク割当およびダウンリンク割当の両方に共通であるタイムスロットの削減（例えば、ＵＳＦおよびダウンリンクデータの両方のために監視され得るタイムスロット）、「左」または「右」のいずれかから削減する（すなわち、それぞれ、最低または最高タイムスロット番号を伴うものを最初に除去する）等の固定タイムスロット数による削減、タイムスロットの固定割合による削減、または、例えば、１つおきの無線ブロック期間においてのみ、タイムスロットを使用／監視するために、いくつかの無線ブロック期間において、タイムスロットがＵＥ１０２によって監視されない（あるいは、ネットワークによって、ＵＳＦまたはダウンリンクデータを送信するために使用される）ような削減によって実装され得る。ＲＴＴＩ  ＵＳＦモードは、ＴＤＭＡフレームあたり少なくとも２つのＵＳＦを監視することを要求し、本アプローチは、ＴＤＭＡフレームあたり平均１つのＵＳＦと同等の削減を可能にし得るするため、本アプローチは、ＵＳＦモードを伴うＲＴＴＩにおいて有益である。代替として、タイムスロット削減アルゴリズムは、アップリンク配分に対して、１つ以上のタイムスロットおよびダウンリンクデータに対して１つのタイムスロット（同一であり得る）の削減、またはダウンリンク二重キャリア実装では、チャネル２上（または、チャネル１が割り当てられたアップリンクリソースが有しておらず、チャネル２が有している場合、チャネル１上）の全タイムスロットの除去による削減を含み得る。概して、タイムスロット削減アルゴリズム段階は、決定論的であって、現在の無線リソース割当に基づくように定義される。
【００５８】
タイムスロット削減アルゴリズムは、低い番号のタイムスロットを最初に除去するように構成され得る。これは、ＥＤＡを実装するシステムを伴う場合、有利であり得、例えば、ＥＤＡは、タイムスロット削減が使用中であり（例えば、完全未満の割当が、ＵＥ１０２によって監視されている）、かつＵＥ１０２が、ネットワーク１０４によって予測されるのと同一量だけそのタイムスロットを削減していない場合、および、ＵＳＦが、ネットワーク１０４が意図するものより多くのアップリンクリソースを配分していると考え得る場合、動作を継続する。システム実装に応じて、予測は、ＥＤＡの使用が、タイムスロット削減（ＵＥおよびネットワークの両方に既知である）中に、一時停止されることであり得、または予測は、タイムスロット削減中に、ＥＤＡの使用が継続することであり得る。
【００５９】
代替として、ネットワーク１０４は、タイムスロット削減の場合に監視されるべき１つ以上のタイムスロットを各ＵＥに割り当て得、割り当てられたタイムスロットを共有する異なるＵＥ１０２に対する監視を分散することを可能にし、削減された監視状態にある複数のＵＥ１０２が、同じタイムスロットを監視する可能性を回避する。
【００６０】
いくつかの実装では、削減された監視状態において、ＥＤＡがＵＥ１０２によって使用されるべきか否かの決定は、ネットワーク１０４によって、例えば、割当メッセージによって、信号伝達され得る。ＥＤＡは、単一ＵＳＦによって、大量のアップリンクリソースの配分を可能にするため、ネットワークが、非常に混雑しており、そのような大量のリソース配分（ＵＥ１０２が、送信するためのデータを有していない場合、無駄となり得る）が、他のＵＥからアップリンクリソースを奪うであろう場合、削減された監視状態における、ＵＥに対して、ＥＤＡを無効にすることは有利となり得る。
【００６１】
トリガおよび任意の関連付けられたタイムスロット削減アルゴリズムは、アップリンクデータおよびダウンリンクデータに対して、独立して（例えば、アップリンクデータが送信されない継続期間後、ＵＳＦのための監視されるタイムスロットが削減されるが、ダウンリンクデータのための監視に変化を生じさせないように）、または連帯して（例えば、アップリンクまたはダウンリンクデータが送信されなかった継続期間後、ＵＳＦおよびダウンリンクデータの両方のための監視されるタイムスロットが、削減される）、定義され得る。ダウンリンク二重キャリア割当の場合、トリガおよびアルゴリズムは、両対のチャネル（各対は、１つのアップリンクチャネルおよび１つのダウンリンクチャネルを備える）にわたって連帯して動作し得、または各対のチャネル上で独立して動作し得る。
【００６２】
タイムスロット監視削減は、ＵＥ１０２およびネットワーク１０４の両方において、（データ損失／デコードエラーの不在下）同時に生じる（伝搬遅延、伝送時間、およびデコード遅延を可能にする）ように指定され得る。しかしながら、一実装では、タイムスロット監視の削減は、ネットワーク１０４側で最初に生じる。本アプローチは、ネットワーク１０４が保守的であり、ＵＥ１０２によって監視されるタイムスロットを過大に見積もることがないことを確実にする。例えば、ＵＥ１０２による不良無線状態および／またはデコードエラーの場合、トリガがＵＥ１０２に特定のタイムスロットを無視させた後、ＵＥ１０２がそれらのタイムスロットを監視していることを、ネットワーク１０４が見込まないことが重要である。
【００６３】
いくつかの状況では、ＵＥ１０２は、監視されるタイムスロット数の任意の削減を遅延させることが必要であることを決定し得る。例えば、ユーザが、後のネットワーク活動（電子メールを準備する、またはウェブベース形式を埋める等）をもたらすであろう、ＵＥ１０２を使用しての措置を講じる場合、ＵＥ１０２は、ネットワーク１０４に、ネットワーク通信が最終的に始動される場合に、最適性能を確実にするために、任意のタイムスロット監視削減を遅延させるように命令し得る。一実施例では、監視されるタイムスロット数の削減を遅延させるために、ＵＥ１０２は、現在、送信するためのデータを有していない場合でも、既存のダミーブロックフォーマット、指定されたブロックフォーマット、または他の所定の通信によって、ＵＳＦに積極的に応答し、トリガ（ひいては、監視されるタイムスロットの削減）を遅延させ得る。ＵＥ１０２が、送信または受信すべきデータが差し迫っていることに気付く場合（例えば、ＵＥ１０２が、ユーザ活動を監視し、将来のデータ伝送ニーズを予測するので）、ＵＥ１０２は、監視されるタイムスロットの任意の削減を遅延させることを選択し、より高い帯域幅伝送を直ぐに開始させ得る。
【００６４】
システム実装に応じて、ＵＥ１０２は、ＵＥ１０２が削減を遅延させることを所望することを示す、任意の措置を引き起こすことによって、タイムスロット監視の削減を遅延させ得る。例えば、ネットワーク１０４が、通常、ＵＳＦにどんな応答も要求しない場合、ＵＥ１０２は、応答を送信することによって、タイムスロット削減を遅延させ得る。ネットワークが、通常、ＵＳＦにダミー応答を要求する場合、ＵＥ１０２は、新しいバージョンのダミー応答を送信することによって、タイムスロット削減を遅延させ得る。
【００６５】
対照的に、ＵＥ１０２は、タイムスロット監視削減を早期に始動することを所望し得る。その場合、タイムスロット削減は、例えば、ＵＥ１０２が、予測されたダミーブロックの送信を怠ることによって、始動され得る。これは、ＵＥ１０２が、低バッテリレベルを有すると決定する場合、または伝送が生じる可能性がないことを把握している場合、有用であり得る。
【００６６】
図２に関して例証される、方法ステップ２００は、ＥＤＡを採用するシステムに実装され得、その場合、削減されたタイムスロットの組は、通信またはＵＳＦ等の他のデータのために監視される。上述のように、実装に応じて、ＥＤＡは、方法ステップ２００によって実装されるタイムスロット削減がアクティブである時、適用されることも適用されないこともある。タイムスロット削減がアクティブである時、ＥＤＡを適用する第１の場合では、ＵＥ１０２は、削減アルゴリズムにより、削減されたタイムスロット上でＵＳＦを監視する。図１０に例証される一実施例では、ダウンリンクチャネル３００およびアップリンクチャネル３０２は、ＥＤＡを実装する。削減されたタイムスロット番号の組は、ダウンリンクチャネル３００内のタイムスロット２として定義され、オリジナルのアップリンク割当は、タイムスロット２、３、および４に対するものである。その場合、ＵＥ１０２は、ダウンリンクチャネル３００を経由して伝送されるＵＳＦ３５０のために、タイムスロット２を監視する。ＵＥ１０２が、削減されたタイムスロットの組上で（実施例では、タイムスロット２において）ＵＥ１０２に対するＵＳＦ３５０を検出した場合、ＵＳＦが受信されたダウンリンクタイムスロットと同一またはより高いタイムスロット番号を有する、その割り当てられたアップリンクタイムスロットのすべて（本実施例では、タイムスロット２、３、および４）において、３５２、３５４、および３５６をアップリンクチャネル３０２を経由して、伝送するであろう。
【００６７】
反対に、タイムスロット削減がアクティブである時にＥＤＡを適用しない第２の場合では、ＵＥ１０２は、削減アルゴリズムにより、削減されたタイムスロット（本実施例では、タイムスロット２）上でＵＳＦを監視し、ＵＥ１０２が、本削減されたタイムスロットの組（本実施例では、タイムスロット２）上でＵＥ１０２に対するＵＳＦを認める場合、ダウンリンクＵＳＦが受信されたＴＳ（本実施例では、タイムスロット２）上でのみ、アップリンクで伝送するであろう。
【００６８】
上述の様式におけるＥＤＡの使用は、同一無線ブロック期間内で送信される複数のブロックを使用して、所与のデータ量の効率的伝送をもたらし得るが、その後使用されないＥＤＡによる複数の無線ブロックの配分は（ＵＥが、送信するためのデータを有していないため）、システム容量の観点から、非効率的である。例えば、ネットワーク１０４が、ＵＥ１０２がＥＤＡを使用していることを把握しており、スロット「ｎ」において、ＵＥ１０２にＵＳＦを送信する場合、スロット「ｎ」および「ｎ」より高いＵＥ１０２に割り当てられたアップリンクタイムスロットすべてを予約する必要があり、そららを任意の他のユーザに割り当てることはできない。
【００６９】
本システムの一実装では、ＥＤＡがアクティブである場合、監視されるタイムスロットは、１つのタイムスロットのみが、任意の所与の無線ブロック期間において監視される場合、全無線ブロック期間において、同一タイムスロット番号ではないように、例えば、無線ブロック期間毎に、経時的に変動し得る。これは、アップリンクリソースをＵＥ１０２に配分する際、ネットワーク１０４により自由を提供し、ＵＥ１０２からの効率的データ伝送（単一のＵＳＦを受信する必要のみの複数のタイムスロットにおいてデータを送信可能であるため）と、ネットワーク１０４の全体的管理において低減された効率性（ネットワーク１０４がＵＥ１０２のためにそれらのアップリンクタイムスロットを予約し、ＵＥ１０２がそれらを使用しない時）との間におけるトレードオフのバランスをとることになる。本実装では、ＥＤＡを有効化させたタイムスロット削減アルゴリズムにおいて、ネットワーク１０４およびＵＥ１０２は、その間にＵＳＦが送信／監視されるタイムスロットを変動させるべきことを知る。これは、周期的に、可能性として、各無線ブロック期間において、変化し得、ＵＥ１０２に、無線ブロック期間あたり２つ以上のアップリンクスロットにおいて伝送する機会を可能にする一方、無線ブロック期間毎に本状況を有さないことによって、ネットワーク１０４に対する不利益を低減させる。
【００７０】
例えば、図１１に例証されるように、ダウンリンクチャネル３００およびアップリンクチャネル３０２は、ＥＤＡを実装する一方、監視されるタイムスロットを経時的に変動させる。例証されるように、ＵＥ１０２は、タイムスロット２、３、および４のための初期アップリンク割当を受信する。この場合、タイムスロット監視削減は、有効化されたＥＤＡと併用される。無線ブロック期間ＲＢＰ１では、ネットワーク１０４は、タイムスロット番号２において、ダウンリンクチャネル３００を経由して、ＵＳＦ３５８をＵＥ１０２に伝送する。ＵＥ１０２が、送信するためのデータを有する場合、次の無線ブロック期間ＲＢＰ２において、タイムスロット２、３、および４（図１１上では、要素３６０、３６２、および３６４によって示される）のいずれか、または全部において、送信し得る。したがって、ネットワーク１０４は、アップリンクチャネル３０２内に本ＵＥ１０２のためのこれらのタイムスロットを予約し（それらが使用されるかどうかを問わず）、本無線ブロック期間のために、それらを任意の他のＵＥに配分不可能となる。
【００７１】
次の無線ブロック期間ＲＢＰ３では、ネットワーク１０４は、タイムスロット番号３において、ダウンリンクチャネル３００を経由して、ＵＥ１０２のためのＵＳＦ３６６を伝送する。ＵＥ１０２が、送信するためのデータを有する場合、次の無線ブロック期間ＲＢＰ４において、タイムスロット３および４（図１１上では、要素３６８および３７０によって示される）内で送信し得る。したがって、ネットワークは、アップリンクチャネル３０２上に本ＵＥ１０２のためのこれらの２つのタイムスロットを予約し（再び、それが使用されるかどうかを問わず）、本無線ブロック期間のために、それらを任意の他のＵＥに配分しない。
【００７２】
次の無線ブロック期間ＲＢＰ５では、ネットワーク１０４は、タイムスロット番号４において、ダウンリンクチャネル３００を経由して、ＵＥ１０２のためのＵＳＦ３７２を伝送する。ＵＥ１０２が、送信するためのデータを有する場合、次の無線ブロック期間ＲＢＰ６において、タイムスロット４（図１１上では、要素３７４によって示される）内でのみ送信し得る。故に、ネットワークは、ＵＥ１０２のために、アップリンクチャネル３０２内に１つのタイムスロットを予約する。本例は、ＵＥ１０２が送信するための複数のデータブロックを有する場合、ネットワーク１０４にとって最も効率的であって、ＵＥ１０２にとって最も非効率的である。
【００７３】
次の無線ブロック期間では、本パターンを反復し、ネットワーク１０４は、再び、タイムスロット番号２において、ＵＥ１０２のためのＵＳＦを伝送する。ＵＥ１０２およびネットワーク１０４は、それが、定義されたタイムスロット削減アルゴリズムの一部であるため、明示的に信号伝達されるため、またはＵＥ１０２とネットワーク１０４との間で別様に通信されるため、ＵＳＦのための送信／監視すべき場所の反復パターンを把握している。例えば、各ＵＳＦのために監視されるタイムスロットまたは複数のタイムスロットが、各無線ブロック期間内で変化する場合（例えば、上述のように）、ネットワークもまた、データ／アップリンクＵＳＦ監視のためのタイムスロットが、同しままであるように、同一アルゴリズムに従って、そのダウンリンクスロットを変化させるであろう。本実施例では、ネットワーク１０４は、無線ブロック期間ＲＢＰ１、ＲＢＰ３、およびＲＢＰ５のそれぞれにおいて送信されるＵＳＦによって、リソースを配分する。代替として、ネットワーク１０４は、例えば、他の移動局からのアップリンク配分の需要および／または単一ＵＳＦによってＵＥ１０２に複数のアップリンク無線ブロックを送信させることの利点を考慮して、一部の無線ブロック期間においてのみリソースを配分し得る。任意のＵＳＦの送信は、ネットワーク１０４の制御下にあることに留意されたい。上述の実施例では、ネットワーク１０４は、ＵＳＦ３５８、３６６、または３７２のうちの１つ以上を信号伝達しないように選択し得る。
【００７４】
次に、図１２を参照すると、図２の方法ステップ２００の実装が、例証されており、ＲＴＴＩが、ダウンリンク内で使用される、および／またはＲＴＴＩ  ＵＳＦモードが、アップリンクリソースを配分するために使用され、その場合、タイムスロット削減アルゴリズムが、タイムスロット番号に関してだけではなく、無線ブロック期間（例えば、１つおきの無線ブロック期間の間だけ監視するため）においても、ダウンリンクを監視すべきかを指定する。これは、無線ブロック期間あたり１つのＵＳＦ／ダウンリンク無線ブロックを検出するために要求されるものを下回る、さらなる監視要件の削減を可能にする。図１２に示されるように、ネットワーク１０４は、ＲＲＢＰ１によって示される、１０ｍｓの削減された無線ブロック期間において、２つのタイムスロット３７６および３７８にわたって、ダウンリンクチャネル３００を経由して、ＵＳＦを送信する。この場合、タイムスロット削減は、ＵＳＦをサポートするために、２つを下回らないタイムスロットまで削減可能である。しかしながら、ＵＥ１０２は、ＵＳＦのために、１つおきの削減された無線ブロック期間を監視することのみ必要である。ＵＥ１０２が、送信するためのデータを有する場合、図１２内の要素３８０および３８２によって示される、タイムスロット２および３において、アップリンクチャネル３０２を経由して、伝送し得る。ＵＥ１０２は、ＲＲＢＰ２において、任意のタイムスロットを監視することを要求されない。次の削減された無線ブロック期間ＲＲＢＰ３では、ＵＳＦは、ＲＲＢＰ３によって示される、１０ｍｓの削減された無線ブロック期間において、２つのタイムスロット３８４および３８６にわたって、ダウンリンクチャネル３００を経由して、送信される。この場合、タイムスロット監視は、ＵＳＦをサポートするために、２つを下回らないタイムスロットまで削減可能である。しかしながら、ＵＥ１０２は、ＵＳＦのために、１つおきの削減された無線ブロック期間を監視することのみ必要とする。ＵＥ１０２が、送信するためのデータを有する場合、要素３８８および３９０によって示される、次の削減された無線ブロック期間内のタイムスロット２および３において、アップリンクチャネル３０２を経由して、伝送し得る。一実装では、ダウンリンクチャネル３００は、アップリンクＵＳＦのためにＵＥ１０２によって監視されるものと同一のデータ伝送のためのタイムスロットを使用する。本実施例では、ネットワーク１０４は、ＵＥ１０２がダウンリンクタイムスロットを監視する無線ブロック期間のそれぞれにおいて、リソースを配分する。代替として、ネットワークは、そのような一部の無線ブロック期間においてのみ、リソースを配分し得る。任意のＵＳＦの送信は、ネットワーク１０４の制御下にあることに留意されたい。上述の実施例では、ネットワーク１０４は、タイムスロット３７６、３７８、３８４、および３８６上で送信されるＵＳＦのうちの１つ以上を信号伝達しないように選択し得る。
【００７５】
図１３は、図２の方法２００のステップを実行する時のＵＥ４０２とネットワーク４０４との間の一例示的データフローシーケンスを例証するものであって、トリガ規則は、ネットワーク４０４とＵＥ４０２との間で異なる。トリガを引き起こすための第１の使用基準値が、ネットワーク４０４に適用される。特に、ＵＥ４０２が、３つの連続ＵＳＦに応答していない時、ネットワーク１０４がＵＥ１０２によって監視されているとみなすタイムスロットは、低い番号のタイムスロットを除去することによって、１まで削減される。トリガを引き起こすための第２の使用基準値は、ＵＥ４０２に適用される。特に、ＵＥ４０２が、４つのＵＳＦに応答していない時、ＵＥ４０２は、低い番号のタイムスロットを除去することによって、監視されるタイムスロットを１まで削減する。トリガアルゴリズムの本実装では、監視されるタイムスロットのさらなる削減が生じ得ないため、単一トリガのみ存在する。また、タイムスロット６は、アップリンク割当およびダウンリンクの両方の一部であると想定される。
【００７６】
図１３に例証されるように、時間ｔ＝０時、ＵＥ４０２は、タイムスロット４、５、および６を監視しており、本監視構成もまた、ネットワーク１０４に既知である（それぞれ、ボックス４０３および４０５参照）。ネットワーク４０４およびＵＥ４０２は、動作に伴って、データを通信してやりとりする。図１３に示されるように、ネットワーク４０４は、ユーザデータ４０６を、次いで、ＵＳＦ４０８を、ＵＥ４０２に伝送する。ＵＳＦ４０８を受信後、ＵＥ４０２は、ユーザデータ４１０をネットワーク４０４に伝送する。本時点において、ＵＥ４０２は、タイムスロット４、５、および６を監視している。次いで、ネットワーク４０４は、ＵＳＦ４１２、４１４、および４１６をＵＥ４０２に伝送するが、ＵＥ４０２からネットワーク４０４に通信される応答データはない。ＵＳＦ４１２、４１４、および４１６に対する応答が受信されなかった後、ネットワーク４０４は、トリガイベント（すなわち、ＵＥ４０２からの無応答を伴う、３つの連続ＵＳＦ）が生じたことを検出し、トリガに従って、ＵＥ４０２が監視していることが予測されるタイムスロットの組を削減する。図１３を参照すると、本時点において、ネットワーク４０４は、ＵＥ４０２がタイムスロット６のみ監視することを予測する（ボックス４０５'参照）。ネットワーク４０４は、再び、ＵＳＦ４１８を発行するが、タイムスロット６のみを経由して行なわれる。本時点において、ＵＥ４０２は、タイムスロット４、５、および６を監視しており、ＵＳＦ４２８を受信する。しかしながら、ＵＳＦ４１２、４１４、４１６、および４１８を受信後、応答データがない場合、ＵＥ４０２は、その独自のトリガイベント（４つの連続ＵＳＦ）が生じたことを決定し、タイムスロット６のみの監視を開始する（ボックス４０３'参照）。
【００７７】
図１４は、トリガの同期がない場合（この場合、ＵＥ４０２がＵＳＦを検出しないことによって生じる）、図２の方法２００のステップを実行する時のＵＥ４０２とネットワーク４０４との間の別の例示的データフローシーケンスを例証する。説明されるように、ＵＥとネットワークとの間の厳密な調整および同期に非常に依存する、従来のシステムおよび方法と異なり、本開示は、ＵＥ４０２とネットワーク４０４との間のそのような同期の欠如に容易に対処可能である。一構成では、ネットワーク４０４がＵＥ４０２が監視しているとみなすタイムスロットは、ＵＥが実際に監視しているものの一部であるため、同期の欠如は、困難をもたらさない。図１４に示されるように、ネットワーク４０４は、ユーザデータ４２０を、次いで、ＵＳＦ４２２を、ＵＥ４０２に伝送する。ＵＳＦ４２２を受信後、ＵＥ４０２は、ユーザデータ４２４をネットワーク４０４に伝送する。本時点において、ＵＥ４０２は、タイムスロット４、５、および６を監視しており、ネットワーク４０４は、ＵＥ４０２がタイムスロット４、５、および６を監視していることを予測する（それぞれ、ボックス４０３および４０５参照）。次いで、ネットワーク４０４は、ＵＳＦ４２６、４２８、および４３０をＵＥ４０２に伝送するが、ＵＥ４０２からネットワーク４０４に通信される応答データはない。ＵＳＦ４２６、４２８、および４３０に対する応答がなかった後、ネットワーク４０４は、トリガイベント（ＵＥ４０２からの応答を伴わない、３つの連続ＵＳＦ）が生じたことを検出し、トリガに従って、ＵＥ４０２が監視しているとみなすタイムスロットの組を削減する。本時点において、ネットワーク４０４は、ＵＥ４０２がタイムスロット６のみを監視していることを予測する（ボックス４０５'参照）。しかしながら、本実施例では、ＵＥ４０２は、ＵＳＦ４３０を受信しておらず、その結果、ネットワーク４０４によって伝送される２つの使用されていないＵＳＦのみカウントする。タイムスロット削減後、ネットワーク４０４は、ＵＥ４０２が監視しているとみなし、ネットワーク４０４は、ＵＳＦ４３２および４３４を伝送するが、タイムスロット６のみを経由して行なわれる。本時点において、ＵＥ４０２は、依然として、タイムスロット４、５、および６を監視しており（ＵＳＦ４３０を検出しなかった）、したがって、依然として、ＵＳＦ４３２および４３４を受信する。しかしながら、ＵＳＦ４２６、４２８、４３２、および４３４を受信後（ＵＥ４０２は、ＵＳＦ４３０を検出しなかった、または別様に受信しなかった）、応答データがない場合、ＵＥ４０２は、その独自のトリガイベント（４つの連続の使用されていないＵＳＦ）が生じたことを決定し、タイムスロット６のみの監視を開始する（ボックス４０３'参照）。
【００７８】
図１５は、ＲＴＴＩ構成において動作する際の図２の方法２００のステップを実行する時のＵＥ４０２とネットワーク４０４との間の別の例示的データフローシーケンスを例証するものであって、タイムスロットの削減は、奇数無線ブロック期間と偶数無線ブロック期間とを区別する。トリガを引き起こすための第１の使用基準値が、ネットワーク４０４に適用され、ＵＥ４０２が３つのＵＳＦに応答しなかった時、ネットワーク４０４は、ＵＥ４０２が偶数ＲＴＴＩ無線ブロック期間においてのみタイムスロットを監視することを予測することを表す。トリガを引き起こすための第２の使用基準値が、ＵＥ４０２に適用され、ＵＥ４０２が４つのＵＳＦに応答しなかった時、ＵＥ４０２は、偶数無線ブロック期間においてのみタイムスロットを監視することによって、監視されるタイムスロットをＴＤＭＡフレームあたり平均１つまで削減することを表す（データ転送のために使用可能なＴＤＭＡフレームのみカウントする）。図１５に例証されるように、時間ｔ＝０時、ＵＥ４０２は、偶数および奇数両方の無線ブロック期間において、タイムスロット４および５を監視しており、ネットワーク４０４は、ＵＥ４０２が、偶数および奇数両方の無線ブロック期間において、タイムスロット４および５を監視していることを予測する（それぞれ、ボックス４０５および４０３参照）。ネットワーク４０４およびＵＥ４０２は、動作に伴って、データを通信してやりとりする。図１５に示されるように、ネットワーク４０４は、ユーザデータ４３６を、次いで、ＵＳＦ４３８を、ＵＥ４０２に伝送する。ＵＳＦ４３８を受信後、ＵＥ４０２は、ユーザデータ４４０をネットワーク４０４に伝送する。次いで、ネットワーク４０４は、ＵＳＦ４４２、４４４、および４４６をＵＥ４０２に伝送するが、ＵＥ４０２からネットワーク４０４に通信される応答データはない。ＵＳＦ４４２、４４４、および４４６に対する応答が受信されなかった後、ネットワーク４０４は、トリガイベント（ＵＥ４０２からの応答を伴わない、３つの連続ＵＳＦ）が生じたことを検出し、トリガに従って、ＵＥ４０２が奇数無線ブロック期間上のタイムスロットを監視していると予測することを停止する。本時点において、ネットワーク４０４は、ＵＥ４０２が、偶数無線ブロック期間中にタイムスロット４および５のみ監視することを予測する（ボックス４０５'参照）。ネットワーク４０４は、再び、ＵＳＦ４４８を発行するが、偶数無線ブロック期間中のタイムスロット４および５のみを経由して行なわれる。本時点において、ＵＥ４０２は、偶数および奇数両方の無線ブロック期間において、タイムスロット４および５を監視しており、したがって、依然として、ＵＳＦ４４８を受信する。しかしながら、ＵＳＦ４４２、４４４、４４６、および４４８を受信後、応答データがない場合、ＵＥ４０２は、その独自のトリガイベント（応答データを伴わない、４つの連続ＵＳＦ）が生じたことを決定し、偶数無線ブロック期間においてのみ、タイムスロット４および５の監視を開始する（ボックス４０３'参照）。
【００７９】
本システムおよび方法は、ＵＳＦが確実にエンコードされることを可能にする。その結果、応答（または、ダミーブロックを構成する応答）の欠如が、確実に検出される。方法２００を使用することによって、追加の信号伝達が、低減される（但し、追加の任意のメッセージが、割当を修正および定義し、特定の特徴を有効または無効化し、適用されるタイムスロットの一部を示す、あるいはトリガパラメータまたは仕様を示すために含まれてもよい）。図２に関して説明される方法２００のステップは、アウリケーションレベルの状態の認識を有するＵＥによって実装され、ネットワークまたはＢＳＣが将来のデータ伝送を予測する方法の正確性を改善し得る。
【００８０】
再び、図１を参照すると、ＵＥ１０２とネットワーク１０４との間の通信の効率を改善するために、タイムスロット監視の削減が提供されていることを前提として、本開示は、逆のプロセス、すなわち、タイムスロット監視の増加を可能にする。タイムスロット監視の増加は、ＵＥ１０２およびネットワーク１０４に、アクティブデータ通信の際、改善されたネットワーク性能を再開させる。システムは、ＵＥ１０２またはネットワーク１０４のいずれかによって伝送される特定のユーザデータ、もしくはネットワーク１０４あるいはＵＥ１０２のいずれかによって伝送される任意の他のメッセージに応答して、監視されるタイムスロットの数を増加させ得る。ＵＥ１０２およびネットワーク１０４の両方は、上述のタイムスロット削減アルゴリズムの逆の用途において、タイムスロット監視数を増加させ得る。例えば、ダウンリンク二重キャリア割当では、１つのチャネル上で送信されるデータは、そのチャネル上でのみ、全タイムスロットが監視され得、または全タイムスロットが（両チャネル上で）監視され得る。代替として、タイムスロット監視の再開を示す所定の伝送を受信すると、ＵＥ１０２およびネットワーク１０４の両方は、すべての割り当てられたタイムスロットの監視を単純に再開し得る。他の実装では、他のアルゴリズムが、適用され、ＵＥ１０２およびネットワーク１０４の両方が特定の割り当てられたタイムスロットの監視を再開する速度および進度を決定し得る。
【００８１】
特定の割り当てられたタイムスロットの監視を再開するための指示は、既存のダミーブロックフォーマットによって、または別の指定されたブロックフォーマットによって、タイムスロット削減がアクティブである時、ＵＥ１０２がＵＳＦに応答することによって、行なわれ得る。これは、ＵＥ１０２が、現在、送信するためのデータを有していないが、送信または受信するためのデータが差し迫っていることを認識または予測する場合、ＵＥ１０２に、ネットワーク１０４によるタイムスロット監視を増加させることを可能にする。ＵＥ１０２に、タイムスロット監視を増加させることを可能にすることによって、ＵＥ１０２とネットワーク１０４との間のデータのより高い帯域幅伝送が、直ぐに、かつ改善された帯域幅によって、開始可能となる。当業者によって理解されるように、ＵＥ１０２は、タイムスロット監視を増加させ、削減されたタイムスロット監視を遅延させるためのものと同一または実質的に類似プロセスを使用し得る。すなわち、例えば、ＵＥ１０２は、ネットワーク１０４との予測または予期される通信を監視し得、タイムスロット監視の削減を生じさせるであろうＵＥ１０２および／またはネットワーク１０４のためのトリガを識別すると、ダミーブロックまたは他の指定されたブロックフォーマットを通信し、差し迫ったタイムスロット監視の削減を遅延させ得る。再び、これは、ネットワーク１０４がＵＥ１０２に指示する、従来の理論的枠組みからの離脱の例証である。
【００８２】
一実装では、ＵＥ１０２は、新しい割当メッセージに反応するためのものより短い時間フレーム内において、それが監視するタイムスロット数を増加させる。本より短い反応時間のための最大値は、ネットワーク１０４が、ＵＥ１０２が増加されたタイムスロットの組を監視している時を把握するように、ネットワーク１０４およびＵＥ１０２の両方に既知である。例えば、監視されるタイムスロットの数の増加（最大、タイムスロット削減アルゴリズムの始動前に使用されるタイムスロットの完全割当であり得る）は、ある情報またはデータブロックあるいは他の伝送が、ＵＥ１０２とネットワーク１０４との間において、いずれかの方向において（または、アルゴリズムが、各方向において、独立して動作される場合、指定方向において）送信もしくは受信された後、所定の数の無線ブロック期間内で生じ得る。情報は、ユーザデータ、制御メッセージ、制御情報のためのポーリング、またはそれらの特定のコンテンツの任意の組み合わせであり得、ＵＥ１０２およびネットワーク１０４の両方に既知であり得る。情報が、アルゴリズムの適用の際に信号伝達されることは必要ない。しかしながら、一実装では、監視されるタイムスロットの増加を始動するための所定の情報は、ＵＥ１０２によって送信される割当メッセージの一部として、信号伝達される。
【００８３】
ネットワーク１０４が、データをＵＥ１０２に伝送している場合、データは、完全割当が使用される前に、確認応答され得る。しかしながら、その場合、ネットワーク１０４は、確認応答が受信される前に、タイムスロットの完全割当上で先制的に伝送し得る。代替として、ＵＥ１０２またはネットワーク１０４が、データを検出し、ユーザデータが送信されたことを識別するために十分にデコード可能であることが十分であり得る（例えば、これらが、ＵＳＦに応答して、ＵＥによって伝送されるべき場合、ダミーブロックと比較して）。すなわち、受信機がデータ全体を正確にデコードすることが可能であることは要求されなくてもよい。
【００８４】
いくつかの実施形態が本開示で提供されているが、開示されたシステムおよび方法が、本開示の精神または範囲から逸脱することなく、多くの他の特定の形態で具現化され得ることを理解されたい。本実施例は、制限的ではなく例証的と見なされ、本明細書で提供される詳細に限定されることを意図しない。例えば、種々の要素または構成要素を、別のシステムに組み入れるか、または一体化しても、ある特徴を省略するか、または実装しなくてもよい。
【００８５】
また、別のものまたは別個のものとして種々の実施形態の中で説明および例証される技術、システム、サブシステム、および方法は、本開示の範囲から逸脱することなく、他のシステム、モジュール、技術、または方法と組み合わせても、または一体化し得る。連結もしくは直接連結または相互に通信するように図示または説明される他のアイテムは、電気的、機械的、またはその他の方法かどうかにかかわらず、何らかのインターフェース、デバイス、または中間構成要素を通して、間接的に連結または通信し得る。変更、置換、および改変の他の例は、当業者により解明可能であり、本明細書で開示される精神および範囲から逸脱することなく行うことが可能である。
【図１】
0005404912.tif 000002
【図２】
0005404912.tif 000003
【図３】
0005404912.tif 000004
【図４】
0005404912.tif 000005
【図５】
0005404912.tif 000006
【図６】
0005404912.tif 000007
【図７】
0005404912.tif 000008
【図８】
0005404912.tif 000009
【図９】
0005404912.tif 000010
【図１０】
0005404912.tif 000011
【図１１】
0005404912.tif 000012
【図１２】
0005404912.tif 000013
【図１３】
0005404912.tif 000014
【図１４】
0005404912.tif 000015
【図１５】
0005404912.tif 000016